(57)【要約】      （修正有）【課題】耐久性に優れて寿命が長い円筒型液封入式防振装置を提供する。【解決手段】第１内筒１と中間筒２の間に第１ゴム状弾性体３を介在させ、中間筒２と外筒４の間に第２ゴム状弾性体５を介在させ、第２ゴム状弾性体５を室壁とする一対の液室６を、中間筒２を挟んで位置する状態に中間筒２と外筒４の間に形成するとともに、一対の液室６同士を連通接続するオリフィス７を形成し、第１内筒１を鉄で構成し、第２内筒８を第１内筒１に圧入して第１内筒１を拡径させてある。【選択図】        図２
2005207481.tif 000002
【特許請求の範囲】
【請求項１】
第１内筒と中間筒の間に第１ゴム状弾性体を介在させ、前記中間筒と外筒の間に第２ゴム状弾性体を介在させ、前記第２ゴム状弾性体を室壁とする一対の液室を、前記中間筒を挟んで位置する状態に前記中間筒と外筒の間に形成するとともに、前記一対の液室同士を連通接続するオリフィスを形成し、前記第１内筒を鉄で構成し、第２内筒を前記第１内筒に圧入して第１内筒を拡径させてある円筒型液封入式防振装置。
【請求項２】
軸方向で、前記第１ゴム状弾性体を前記液室よりも短く設定して前記液室の中央に対応する位置に配置してある請求項１記載の円筒型液封入式防振装置。
【請求項３】
前記第１内筒を前記中間筒よりも薄肉に形成してある請求項１又は２記載の円筒型液封入式防振装置。
【発明の詳細な説明】
【技術分野】
【０００１】
本発明は円筒型液封入式防振装置に関する。
【背景技術】
【０００２】
円筒型液封入式防振装置は、例えば自動車のサスペンションメンバーとロアアームの間に設けられている。そして、振動の入力で内筒と外筒が相対変位し、ゴム状弾性体が弾性変形して両液室の容積が変化する。これにより液体がオリフィスを通って流れ、その液体流動効果によって優れた振動減衰効果を得ている。
【０００３】
従来、上記の円筒型液封入式防振装置は、内筒と外筒の間にゴム状弾性体を介在させ、前記ゴム状弾性体を室壁とする一対の液室と、前記一対の液室同士を連通接続するオリフィスとを形成して構成してあった（特許文献１参照）。
【特許文献１】特開２００３−８３３８９号公報
【発明の開示】
【発明が解決しようとする課題】
【０００４】
上記従来の構成によれば、液室の室壁となるゴム状弾性体部分が内筒と外筒にわたっていたために、このゴム状弾性体部分が内筒と外筒の傾斜角（内筒に対する外筒の傾斜角）に対応した大きさの引張り力・圧縮力を受け、内筒に対して外筒が最も大きく傾斜したときに、圧縮される側のゴム状弾性体部分の付け根付近が屈折してそこに亀裂が入ることがあった。
【０００５】
本発明は上記実状に鑑みて成されたもので、その目的は、耐久性に優れて寿命が長い円筒型液封入式防振装置を提供する点にある。
【課題を解決するための手段】
【０００６】
本発明の特徴は、第１内筒と中間筒の間に第１ゴム状弾性体を介在させ、前記中間筒と外筒の間に第２ゴム状弾性体を介在させ、前記第２ゴム状弾性体を室壁とする一対の液室を、前記中間筒を挟んで位置する状態に前記中間筒と外筒の間に形成するとともに、前記一対の液室同士を連通接続するオリフィスを形成し、前記第１内筒を鉄で構成し、第２内筒を前記第１内筒に圧入して第１内筒を拡径させてある点にある。
【０００７】
この構成によれば、振動の入力で第１及び第２内筒と外筒が相対変位するとともに、中間筒と外筒が相対変位して、第１ゴム状弾性体と第２ゴム状弾性体が弾性変形する。そして、一対の液室の容積が変更され、液体がオリフィスを流れて振動を減衰させる。
【０００８】
上記の弾性変形で第１及び第２内筒に対して外筒が傾斜すると、液室の室壁を形成する第２ゴム状弾性体部分が中間筒と外筒の傾斜角（中間筒に対する外筒の傾斜角）に対応した大きさの引張り力・圧縮力を受ける。この傾斜角の最大値は第１及び第２内筒と外筒との傾斜角（第１及び第２内筒に対する外筒の傾斜角）の最大値よりも小さいから、前記第２ゴム状弾性体部分に加わる引張り力・圧縮力を小さくすることができる。
【０００９】
そして、第１内筒を鉄で構成し、第２内筒を第１内筒に圧入して第１内筒を拡径させてあるから、第１ゴム状弾性体を径方向に圧縮することができて、第１ゴム状弾性体の耐久性を向上させることができる。第１内筒を樹脂で構成すると、熱に弱くなり、強度が低下し、塩に対して弱くなって耐久性が低下しやすいという問題があるが、本発明の上記構成では第１内筒を鉄で構成してあるので、これらの問題を解消することができる。
【００１０】
本発明において、軸方向で、前記第１ゴム状弾性体を前記液室よりも短く設定して前記液室の中央に対応する位置に配置してあると、内筒に対して中間筒を傾斜させやすくすることができ、第２ゴム状弾性体にかかる負担を軽減できるとともに、第１及び第２内筒に対して中間筒を正逆いずれの方向にも傾斜させやすくすることができる。
【００１１】
前記第１内筒を中間筒よりも薄肉に形成してあると、第２内筒で第１内筒を拡径しやすくなる。
【発明の効果】
【００１２】
本発明によれば、第１ゴム状弾性体と第２ゴム状弾性体と第１内筒の耐久性を向上させることができて、寿命を長くすることができる円筒型液封入式防振装置を提供することができた。
【発明を実施するための最良の形態】
【００１３】
以下、本発明の実施の形態を図面に基づいて説明する。図１，図２に、自動車のフロントサスペンションメンバーとロアアーム（共に図示せず）との間に設けられる前後一対の防振装置のうち、後側の縦置きタイプの円筒型液封入式防振装置を示してある。
【００１４】
この円筒型液封入式防振装置は、第１内筒１と中間筒２の間に第１ゴム状弾性体３を介在させ、中間筒２と外筒４の間に第２ゴム状弾性体５を介在させ、第２ゴム状弾性体５を室壁とする一対の液室６を、中間筒２を挟んで位置する状態に中間筒２と外筒４の間に形成するとともに、一対の液室６同士を連通接続するオリフィス７を形成し、第１内筒１を鉄で構成し、第１内筒１に鉄で構成した第２内筒８を圧入することで第１内筒１を拡径させて構成してある。
【００１５】
第２ゴム状弾性体５は、中間筒２と、外筒４に対する嵌合筒９とにわたって加硫成形されている。この嵌合筒９は外筒４に内嵌している。第１内筒１と中間筒２と嵌合筒９と外筒４とはいずれも円筒であり、この順で長さが長くなっている。第２内筒８は外筒４よりも長くてやや厚肉の円筒に形成され、第１内筒１は中間筒２よりも薄肉に形成されている。第１内筒１と第２内筒８と中間筒２と嵌合筒９と外筒４の軸方向の中央は同一位置に位置し、一対の液室６の前記軸方向における中央も各筒１，８，２，９，４の軸方向の中央と同一位置に位置している。
【００１６】
嵌合筒９は、内外筒１，８，２の軸方向で離間して位置する一対の円形リング部１０，２０と、中間筒２を挟んで位置し、一対の円形リング部１０，２０同士を連結する横断面円弧状の一対の連結壁１１，２１とから成る。
【００１７】
前記第２ゴム状弾性体５は、一対の円形リング部１０，２０と一対の連結壁１１，２１の内周面とに加硫接着している。この第２ゴム状弾性体５のうち、一方の円形リング部１０と中間筒２の間の第２ゴム状弾性体部分は液室６の端部壁１２を構成し、他方の円形リング部２０と中間筒２の間の第２ゴム状弾性体部分は液室６の別の端部壁１３を構成し、連結壁１１，２１と中間筒２の間の第２ゴム状弾性体部分は内外筒１，２の周方向における液室６の壁部１４を構成している。端部壁１２，１３は軸方向で液室の中央側に凸の横断面円弧状に形成され、中間筒２に対する端部壁１２，１３の接続端部は、円形リング部１０，２０に対する接続端部よりも前記軸方向で液室の中央側に配置されている。
【００１８】
一対の連結壁１１，２１は一対の円形リング部１０，２０よりも径方向内方側に位置している。そして、半円形リング状の第１オリフィス形成部材１６の両端部１６Ｃを一対の連結壁１１，２１の外周面に重ね合わせ、半円形リング状の第２オリフィス形成部材１８の両端部１８Ｃを一対の連結壁１１，２１の外周面に重ね合わせてある。また、第１オリフィス形成部材１６と第２オリフィス形成部材１８の一端部同士１６Ｃ，１８Ｃを周方向で突合わせ、他端部同士１６Ｃ，１８Ｃを周方向で突合わせてある。
【００１９】
第１オリフィス形成部材１６と第２オリフィス形成部材１８は、互いに連通するオリフィス形成溝２２，２４を外周部にそれぞれ備えており、これらのオリフィス形成溝２２，２４の一端部が各液室６に開口している。２３，２５が開口部である。
【００２０】
液室６内に、中間筒２側から第１又は第２オリフィス形成部材１６，１８の内周面側に向けて突出する断面円弧状の第２ゴム状弾性体部分から成るストッパ１９を設けてある。また、軸方向で、第１ゴム状弾性体３を液室６よりも短く設定して液室６の中央に対応する位置に配置し、軸方向で第１ゴム状弾性体３の中央と液室６の中央とを同一位置に位置させてある。
【００２１】
外筒４の軸方向の両端部は径方向内方側に折曲して、外筒４と嵌合筒９との軸方向の相対移動を阻止している。
【図面の簡単な説明】
【００２２】
【図１】円筒型液封入式防振装置の平面図
【図２】図１のＡ−Ａ断面図
【図３】図１のＢ−Ｂ断面図
【符号の説明】
【００２３】
１        第１内筒
２        中間筒
３        第１ゴム状弾性体
４        外筒
５        第２ゴム状弾性体
６        液室
７        オリフィス
８        第２内筒
【図１】
2005207481.tif 000003
【図２】
2005207481.tif 000004
【図３】
2005207481.tif 000005